(57)【要約】【課題】散水板において、カビの繁殖や、水垢などの汚れの発生を抑制することができ、掃除の手間を大きく軽減することができるシャワーヘッドを提供する。【解決手段】浴室や洗面所、キッチンのような水回り空間において使用され、複数の散水孔が形成された散水板を備えたシャワーヘッドにおいて、散水板は、表面または裏面のうち少なくとも一方に、シャワーヘッドが所定の姿勢に保持された状態での下端となる集水位置へ水を誘導する溝を備える。【選択図】  図１
2015047268.tif 000002
【特許請求の範囲】
【請求項１】
複数の散水孔が形成された散水板を備えたシャワーヘッドであって、
前記散水板は、表面または裏面のうち少なくとも一方に、前記シャワーヘッドが所定の姿勢で保持された状態での散水板の下端となる集水位置へ水を誘導する溝を備えることを特徴とするシャワーヘッド。
【請求項２】
前記溝は、前記散水板の周縁に沿って形成された周縁溝と、互いに平行であり、前記周縁溝を一方の端部とする複数の平行溝と、を有し、
前記周縁溝上に前記集水位置が位置することを特徴とする請求項１に記載のシャワーヘッド。
【請求項３】
前記溝は、前記集水位置を一方の端部とする略直線形状に形成された直線溝であることを特徴とする請求項１に記載のシャワーヘッド。
【請求項４】
前記溝は、前記散水板の中心軸を中心とする円周溝と、前記円周溝の少なくとも１箇所と前記集水位置とを結ぶ径溝とを有することを特徴とする請求項１に記載のシャワーヘッド。
【請求項５】
前記溝は、縦溝と、前記縦溝と直交する方向の横溝とで網目状に形成されていることを特徴とする請求項１に記載のシャワーヘッド。
【請求項６】
前記散水板は、前記集水位置に前記散水孔よりも断面積が大きい排水孔を備えることを特徴とする請求項１乃至請求項５のいずれか１項に記載のシャワーヘッド。
【請求項７】
前記溝は、少なくとも一部が前記散水孔上に形成されていることを特徴とする請求項１乃至請求項６のいずれか１項に記載のシャワーヘッド。
【請求項８】
複数の散水孔が形成された散水板を備えたシャワーヘッドであって、
水を吐水する吐水部と、
使用者が把持可能な把持部と、を備え、
前記吐水部に前記散水板を有し、
前記散水板は、表面または裏面のうち少なくとも一方に、前記散水板における前記把持部側となる集水位置へ水を誘導する溝を有することを特徴とするシャワーヘッド。
【請求項９】
複数の散水孔が形成された散水板を備えたシャワーヘッドであって、
前記散水板は、外側に向けて突出する凸曲面状をなすように湾曲した形状に形成されており、前記散水板の表面または裏面のうち少なくとも一方に、前記散水板の最も突出している集水位置へ水を誘導する溝を有することを特徴とするシャワーヘッド。
【発明の詳細な説明】
【技術分野】
【０００１】
本発明は、シャワーヘッドに関する。
【背景技術】
【０００２】
シャワーヘッドにおいて、使用後の残水や、使用中に付着した細菌の繁殖などにより、散水板に汚れが付着したり、水を吐水するために散水板に形成された散水孔に汚れが付着し詰まったりしやすいという問題があった。特に、散水板の裏面は、使用者から見えないため、散水板を掃除できるように取り外し可能となっていても、そのことに気付かず、５年、１０年と、汚れたままで使用してしまう場合があった。また、散水板を取り外すことができるからといって、頻繁に散水板を取り外して掃除をするのは使用者にとって手間がかかる作業であった。
【０００３】
そこで、例えば特許文献１のように、散水板に撥水性樹脂を被覆することで、散水板に付着する水滴を少なくし、水垢の付着量を抑制するシャワーヘッドが知られている。
【先行技術文献】
【特許文献】
【０００４】
【特許文献１】特開２００９−２６１８３９号公報
【発明の概要】
【発明が解決しようとする課題】
【０００５】
しかしながら、散水板に撥水性樹脂を被覆する方法では、撥水性樹脂が剥がれてしまうと、散水板に付着する水滴を少なくし、水垢の付着量を抑制するという効果が得られなくなってしまうという問題があった。
【０００６】
また、散水板には、水を吐水させるための散水孔を形成する必要があるため、散水板に散水孔を形成した後に撥水性樹脂を被覆すると散水孔が詰まってしまうという問題があり、散水板に散水孔を形成する前に撥水性樹脂を被覆し、その後散水孔を形成すると、散水孔が形成された部分から撥水性樹脂が剥がれやすくなってしまうという問題があった。
【０００７】
本発明は、散水板において、カビの繁殖や、水垢などの汚れの発生を抑制することができ、掃除の手間を軽減することができるシャワーヘッドを提供することを目的とする。
【課題を解決するための手段】
【０００８】
上記目的を達成するため、本発明のうち第１の態様に係るシャワーヘッドにおいては、複数の散水孔が形成された散水板を備えたシャワーヘッドであって、前記散水板は、表面または裏面のうち少なくとも一方に、前記シャワーヘッドが所定の姿勢に保持された状態での下端となる集水位置へ水を誘導する溝を備えることを特徴とする。
【０００９】
このような構成のシャワーヘッドによれば、シャワーヘッドが所定の姿勢に保持された状態において、散水板に残った水を散水板の下端となる集水位置へ重力により誘導することができる。そのため、散水板の広い範囲に水が残ることを抑制することができる。これにより、カビの繁殖や、水垢などの汚れの発生を抑制することができる。よって、掃除の手間を軽減することができる。
【００１０】
本発明のうち第２の態様に係るシャワーヘッドにおいては、前記溝は、前記散水板の周縁に沿って形成された周縁溝と、互いに平行であり、前記周縁溝を一方の端部とする複数の平行溝とを有し、前記周縁溝上に前記集水位置が位置することを特徴とする。
【００１１】
このような構成のシャワーヘッドによれば、平行溝へと流れてきた水は、周縁溝へと誘導され、周縁溝へ流れてきた水は、周溝上に位置する集水位置へと誘導される。このように、簡易な構成により、散水板に残った水を散水板の集水位置へ誘導することができる。
【００１２】
本発明のうち第３の態様に係るシャワーヘッドにおいては、前記溝は、前記集水位置を一方の端部とする略直線形状に形成された直線溝であることを特徴とする。
【００１３】
このような構成のシャワーヘッドによれば、溝は集水位置を一方の端部とする略直線形状に形成された直線溝であるため、直線溝を流れてきた水は、集水位置へと誘導される。このように、簡易な構成により、散水板に残った水を散水板の集水位置へ誘導することができる。また、直線溝の形状は略直線形状であるため、散水板に残った水を最短距離で誘導することができる。これにより、水が誘導される前に散水板上で蒸発することによる水垢の発生を抑制することができる。
【００１４】
本発明のうち第４の態様に係るシャワーヘッドにおいては、前記溝は、前記散水板の中心軸を中心とする円周溝と、前記円周溝の少なくとも１箇所と前記集水位置とを結ぶ径溝とを有することを特徴とする。
【００１５】
このような構成のシャワーヘッドによれば、溝は、散水板の中心軸を中心とする円周溝と、円周溝の少なくとも１箇所と集水位置とを結ぶ径溝とを有するため、円周溝へと流れてきた水を円周溝から径溝へと誘導し、径溝へと流れてきた水を散水板の集水位置へ誘導することができる。また、散水板が円形状である場合の散水孔は、一般的に散水板の形状と相似する円形状に配置される。本発明のうち第４の態様に係るシャワーヘッドにおいては、溝は、散水板の中心軸を中心とする円周溝と、円周溝の少なくとも１箇所と集水位置とを結ぶ径溝とを有することにより、効率よく散水板に残った水を集水位置へと誘導することができる。
【００１６】
本発明のうち第５の態様に係るシャワーヘッドにおいては、前記溝は、縦溝と、前記縦溝と直交する方向の横溝とで網目状に形成されていることを特徴とする。
【００１７】
このような構成のシャワーヘッドによれば、溝は、縦溝と、縦溝と直交する方向の横溝とで網目状に形成されているため、シャワーヘッドに対し散水板がどの方向に固定されたとしても、溝により散水板に残った水を集水位置へ誘導することができる。そのため、シャワーヘッドに対する散水板の固定方向によらず、カビの繁殖や、水垢などの汚れの発生を抑制することができ、掃除の手間を軽減することができる。
【００１８】
本発明のうち第６の態様に係るシャワーヘッドにおいては、前記散水板は、前記集水位置に前記散水孔よりも断面積が大きい排水孔を備えることを特徴とする。
【００１９】
このような構成のシャワーヘッドによれば、散水板は、集水位置に散水孔よりも断面積が大きい排水孔を備えるため、溝によって集水位置へと誘導された水を外部へと排水することができる。そのため、水が散水板に残ることをより抑制することができる。これにより、カビの繁殖や、水垢などの汚れの発生を抑制することができる。よって、掃除の手間を軽減することができる。
【００２０】
本発明のうち第７の態様に係るシャワーヘッドにおいては、前記溝は、少なくとも一部が前記散水孔上に形成されていることを特徴とする。
【００２１】
このような構成のシャワーヘッドにおいては、溝は、少なくとも一部が散水孔上に形成されているため、散水板１２の表面側又は裏面側に残った水が溝を通って集水位置へ流れる過程において、散水孔に溜まっているシャワー使用後の残水が表面又は裏面に形成された溝へ引き込まれることにより、散水孔に溜まっている残水を散水孔から抜くことができる。そのため、水が散水板に残ることをより抑制することができる。よって、掃除の手間を軽減することができる。
【００２２】
本発明のうち第８の態様に係るシャワーヘッドにおいては、複数の散水孔が形成された散水板を備えたシャワーヘッドであって、水を吐水する吐水部と、使用者が把持可能な把持部と、を備え、前記吐水部に前記散水板を有し、前記散水板は、表面または裏面のうち少なくとも一方に、前記散水板における前記把持部側となる集水位置へ水を誘導する溝を有することを特徴とする。
【００２３】
このような構成のシャワーヘッドにおいては、散水板に残った水を散水板における把持部側となる集水位置へ重力により誘導することができる。そのため、散水板の広い範囲に水が残ることを抑制することができる。これにより、カビの繁殖や、水垢などの汚れの発生を抑制することができる。よって、掃除の手間を軽減することができる。
【００２４】
本発明のうち第９の態様に係るシャワーヘッドにおいては、複数の散水孔が形成された散水板を備えたシャワーヘッドであって、前記散水板は、外側に向けて突出する凸曲面状をなすように湾曲した形状に形成されており、前記散水板の表面または裏面のうち少なくとも一方に、前記散水板の最も突出している集水位置へ水を誘導する溝を有することを特徴とする。
【００２５】
このような構成のシャワーヘッドにおいては、散水板に残った水を散水板の最も突出している集水位置へ重力により誘導することができる。そのため、散水板の広い範囲に水が残ることを抑制することができる。これにより、カビの繁殖や、水垢などの汚れの発生を抑制することができる。よって、掃除の手間を軽減することができる。
【発明の効果】
【００２６】
本発明によれば、散水板において、カビの繁殖や、水垢などの汚れの発生を抑制することができ、掃除の手間を大きく軽減することができる。
【図面の簡単な説明】
【００２７】
【図１】本発明の第１実施形態に係るシャワーヘッドを示す正面図である。
【図２】本発明の第１実施形態に係るシャワーヘッドを示す断面図である。
【図３】本発明の第１実施形態に係る散水板を示す模式図である。
【図４】本発明の第１実施形態に係る散水板の第１変形例を示す模式図である。
【図５】本発明の第１実施形態に係る散水板の第２変形例を示す模式図である。
【図６】本発明の第１実施形態に係る散水板の第３変形例を示す模式図である。
【図７】本発明の第２実施形態に係るシャワーヘッドを示す断面図である。
【図８】本発明の第２実施形態に係る散水板を示す背面模式図である。
【図９】本発明の第２実施形態に係る散水板の変形例を示す背面模式図である。
【発明を実施するための形態】
【００２８】
本発明に係るシャワーヘッドは、浴室や洗面所、キッチンのような水回り空間において使用される複数の散水孔が形成された散水板を備えたシャワーヘッドにおいて、散水板は、表面または裏面のうち少なくとも一方に、シャワーヘッドが所定の姿勢に保持された状態での下端となる集水位置へ水を誘導する溝を備えることで、散水板において、カビの繁殖や水垢などの汚れの発生を抑制することができ、掃除の手間を軽減することができるものである。以下、本発明の実施の形態を説明する。なお、本願明細書において「水」という場合には、冷水のみならず、加熱された水、所謂お湯や、それらを混合したものも含むものとする。
【００２９】
[第１実施形態]
本発明の第１実施形態について説明する。まず、本発明の第１実施形態に係るシャワーヘッドについて、図１および図２を用いて説明する。図１は、本発明の第１実施形態に係るシャワーヘッドを示す正面図であり、図２は、本発明の第１実施形態に係るシャワーヘッドを示す断面図である。
【００３０】
図１および図２に示すように、本発明の第１実施形態に係るシャワーヘッド１は、水を吐水する吐水部２と、シャワー使用時等に使用者が把持する把持部４と、からなる。シャワーヘッド１は、図示しない壁に固定されたシャワーフックへと引っ掛けられることにより、所定の姿勢で保持される。なお、図１および図２では、シャワーヘッド１を図示しないシャワーフックへと引っ掛けた状態を示しており、シャワーヘッド１は、吐水部２が把持部４よりも上方となるような姿勢で保持される。
【００３１】
吐水部２は、複数の散水孔１０が形成された散水板８を有する。散水板８は、円形状であり、複数の散水孔１０は、散水板８の形状と相似する円形状に沿って配置されるよう形成されている。散水孔１０は、散水板８をその板面に対して略垂直方向に貫通する孔である。散水板８の下端となる集水位置には、散水孔１０の断面積よりも大きい断面積の排水孔１２が形成されている。排水孔１２は、散水孔１０と同様に散水板８を貫通する孔である。散水板８の中央には、ネジ貫通孔１４が形成されている。ネジ貫通孔１４にネジ１６を貫通させ、吐水部１０の内部に形成されたネジ孔１８にネジ１６をねじ込むことで、散水板１２を吐水部１０に固定することができる。本実施形態では、図１および図２に示すように、シャワーヘッド１が所定の姿勢で保持された状態では、散水板８は、垂直方向に対し所定の角度傾いた姿勢で固定される。つまり、所定の姿勢で保持された状態のシャワーヘッド１においては、散水板８の表面Ａ側（外側）の板面が斜め下を向いた状態となる。また、本実施形態のように散水板８が垂直方向に対し所定の角度傾いた姿勢でシャワーヘッド１がシャワーフックに保持される場合、散水板８の集水位置とは、シャワーヘッド１が所定の姿勢で保持された状態での散水板８の下端位置、言い換えると、散水板８における把持部４側の位置を指す。
【００３２】
図２に示すように、把持部４は、内部に通水路６を有する中空形状である。通水路６は、把持部４の下端部５に接続される図示しないシャワーホースを介して供給された水を、把持部２０の下端部２２側から吐水部１０まで通水させるように形成される。通水路６を通り、吐水部２へと供給された水は、散水板８の散水孔１０から吐出される。
【００３３】
次に、本発明の第１実施形態に係る散水板について、図３を用いて説明する。図３（ａ）は、本発明の第１実施形態に係る散水板を示す背面模式図であり、図３（ｂ）は、図３（ａ）のＸ−Ｘ断面模式図である。なお、散水孔１０については、個数を省略して図示している。
【００３４】
図３(ａ)は、散水板８を裏面Ｂ側からみた図である。上述したように、散水板８は、円形状である。散水板８は、散水孔１０と、排水孔１２と、ネジ貫通孔１４と、溝３０を備える。なお、散水板８の裏面Ｂとは、散水板８の表面Ａの反対側の面を指し、散水板８の表面Ａとは、散水板８の板面のうち、散水板８が吐水部２に固定された状態で使用者が目視できる側（外部に露出する側）の面を指す。
【００３５】
散水孔１０は、散水板８の裏面Ｂから表面Ａへ貫通しており、散水板８の形状と相似する円形状に配置されるよう形成される。排水孔１２は、散水孔１０の断面積よりも大きい断面積を持ち、散水板８の下端となる集水位置に形成される。言い換えると、排水孔１２は、散水板８における把持部４側となる集水位置に形成される。排水孔１２は、散水孔１０と同様に、散水板８の裏面Ｂから表面Ａへ貫通する。ネジ貫通孔１４は、散水板８の上下左右の中央に形成される。本実施形態では、散水孔１０および排水孔１２はいずれも円形の孔であり、排水孔１２の孔径は散水孔１０の孔径よりも大きい。
【００３６】
溝３０は、散水板８に残った水を集水位置へ誘導するものである。図３(ｂ)に示すように、溝３０は、散水板８の裏面Ｂに形成されており、溝３０の一部は散水孔１０上に形成されている。ここで、溝３０について散水孔１０上に形成されているとは、各散水孔１０において溝３０が散水孔１０の少なくとも一部に対して散水板８の板面視でオーバーラップしていることを意味する。溝３０は、周縁溝３１と、周縁溝３１をその一方の端部とする複数の平行溝３２とを有する（図３(ａ)参照）。
【００３７】
周縁溝３１は、散水板８が垂直方向に対し所定の角度傾いた姿勢でシャワーヘッド１がシャワーフックに保持された状態で、垂直方向の中心から下方側における散水板８の周縁に沿って形成される。このとき、集水位置は、周縁溝３１上に位置し、散水板８の集水位置に形成される排水孔１２も、周縁溝３１上に形成される。なお、周縁溝３１は、散水板８の周縁全周に形成されていてもよい。
【００３８】
平行溝３２は、周縁溝３１を一方の端部としている。つまり、平行溝３２の一側の端部は、周縁溝３１に繋がっている。平行溝３２は、複数形成されており、それらの複数の平行溝は、互いに平行である。なお、本実施形態では、平行溝３２は、９本形成されており、それらは、略等しい間隔を持って設けられている（図３(ａ)参照）。また、９本の平行溝３２のそれぞれの端部３２ａは、周縁溝３１によって結ばれている。９本の平行溝３２のうち中央に形成された平行溝３２の周縁溝３１側の端部３２ａには、排水孔１２が形成される。
【００３９】
シャワーヘッド１を使用後、散水板８の裏面Ｂ側に残った水は、シャワーヘッド１が所定の姿勢で保持された状態において、周縁溝３１または平行溝３２へと引き込まれる。平行溝３２へと引き込まれた水は、重力により平行溝３２を通って、周縁溝３１へと流れていく。周縁溝３１へと流れてきた水は、重力により集水位置に形成された排水孔１２へと誘導され、排水孔１２を介して外部へと排水される。このように、散水板８の裏面Ｂに、周縁溝３１と、平行溝３２が形成されることにより、散水板８の裏面Ｂ側に残った水を溝３０へと引き込み、溝３０へと引き込まれた水を重力により集水位置へと誘導することができる。そのため、散水板８の広い範囲に水が残ることを抑制することができる。これにより、カビの繁殖や、水垢などの汚れの発生を抑制することができる。よって、掃除の手間を軽減することができる。本実施形態では、周縁溝３１と、複数の平行溝３２という簡易な構成により、散水板８に残った水を集水位置へと誘導することができる。
【００４０】
また、集水位置に排水孔１４が形成されていることにより、周縁溝３１および平行溝３２によって集水位置へと誘導されてきた水を外部へと排水することができる。そのため、水が散水板８に残ることをより抑制することができる。
【００４１】
本実施形態では、溝３０が散水板８の裏面Ｂのみに形成される場合を示したが、溝３０は、散水板の表面Ａのみに形成されていてもよいし、散水板８の表面Ａおよび裏面Ｂの両面に形成されていてもよい。
【００４２】
溝３０が散水板８の表面Ａに形成されることで、散水板８の表面Ａ側に残った水を集水位置へと誘導することができる。具体的には、溝３０が散水板８の表面Ａに形成される場合には、シャワーヘッド１を使用後、散水板８の表面Ａ側に残った水は、シャワーヘッド１が所定の姿勢で保持された状態において、周縁溝３１または平行溝３２へと引き込まれる。平行溝３２へと引き込まれた水は、重力により平行溝３２を通って、周縁溝３１へと流れていく。周縁溝３１へと流れてきた水は、重力により集水位置へと誘導され、重力により散水板８から落下し、散水板８から離れる。このように、散水板８の表面Ａに、周縁溝３１と、平行溝３２が形成されることにより、散水板８の表面Ａ側に残った水を溝３０へと引き込み、溝３０へと引き込まれた水を重力により集水位置へと誘導することができる。
【００４３】
また、シャワーヘッド１を使用後に、シャワーヘッド１の内部に負圧が発生することがある。このとき、散水孔１０が水で満たされていると、散水孔１０を通じて空気を吸入することができず、シャワーヘッド１の内部に発生した負圧が維持されてしまい、散水板８の裏面Ｂ側に付着した水をシャワーヘッド１の外部へ排出し難くなってしまう。これに対し、本実施形態では、周縁溝３１および平行溝３２は、少なくとも一部が散水孔１０上に形成されているため、散水板８の裏面Ｂ側又は表面Ａ側に残った水が溝３０と通って集水位置へ流れる過程において、散水孔１０に溜まっているシャワーヘッド１の使用後の残水が表面又は裏面に形成された溝へ引き込まれることにより、散水孔１０に溜まっている残水を散水孔１０から抜くことができる。その結果、散水孔１０を開放し、散水孔１０から空気を吸入できる状態とすることで、シャワーヘッド１の内部に発生した負圧を解消することができる。そのため、散水板８の裏面Ｂ側に付着した水をシャワーヘッド１の外部へ効率よく排出することができる。以上のように、周縁溝３１および平行溝３２は、少なくとも一部が散水孔１０上に形成されていることで、散水孔１０に溜まっている残水を散水孔１０から抜くことができるため、シャワーヘッド１を使用後に、水が散水板８に残ることをより抑制することができる。よって、掃除の手間を軽減することができる。
【００４４】
本発明の第１実施形態に係る散水板の変形例について説明する。以下に説明する散水板の変形例は、散水板が備える溝の変形例である。なお、散水板の変形例の説明では、上述した構成と共通する内容については、共通の付号や同様の名称を用いて適宜説明を省略する。まず、本発明の第１実施形態に係る散水板の第１の変形例について、図４を用いて説明する。図４(ａ)は、本発明の第１実施形態に係る散水板の第１の変形例を示す背面模式図であり、図４(ｂ)は、図４（ａ）のＸ−Ｘ断面模式図である。なお、散水孔１０については、個数を省略して図示している。
【００４５】
図４(ａ)は、散水板８Ａを裏面Ｂ側からみた図である。散水板８Ａは、円形状である。散水板８Ａは、散水孔１０と、排水孔１２と、ネジ貫通孔１４と、直線溝４０を備える。
【００４６】
散水孔１０は、散水板８Ａの裏面Ｂから表面Ａを貫通しており、散水板８Ａの形状と相似する円形状に配置されるよう形成される。排水孔１２は、散水孔１０の断面積よりも大きい断面積を持ち、散水板８Ａの下端となる集水位置に形成される。言い換えると、排水孔１２は、散水板８Ａにおける把持部４側となる集水位置に形成される。排水孔１２は、散水孔１０と同様に、散水板８Ａの裏面Ｂから表面Ａを貫通する。ネジ貫通孔１３は、散水板８Ａの上下左右の中央に形成される。
【００４７】
直線溝４０は、散水板８Ａに残った水を集水位置へ水を誘導するものである。図４(ｂ)に示すように、直線溝４０は、散水板８Ａの裏面Ｂに形成されており、直線溝４０の一部は散水孔１０上に形成されている。
【００４８】
直線溝４０は、集水位置を一方の端部としており、略直線形状に形成される。なお、本実施形態では、直線溝４０は、５本形成されており、５本の直線溝４０のそれぞれの端部が集まった位置には、排水孔１２が形成される（図４(ａ)参照）。つまり、５本の直線溝４０は、散水板８Ａの下端に位置する排水孔１２を起点に扇形に広がるように形成されている。
【００４９】
シャワーヘッド１を使用後、散水板８Ａの裏面Ｂ側に残った水は、シャワーヘッド１が所定の姿勢で保持された状態において、直線溝４０へ引き込まれる。直線溝４０へ引き込まれた水は、重力により、直線溝４０を通って、集水位置へと誘導される。集水位置には、排水孔１２が形成されているため、集水位置へと誘導されてきた水は、排水孔１２を介して外部へと排水される。このように、散水板８Ａの裏面Ｂに、直線溝４０が形成されることにより、散水板８Ａの裏面Ｂ側に残った水を直線溝４０へ引き込み、直線溝４０へ引き込まれた水を重力により集水位置へと誘導することができる。そのため、散水板８Ａの広い範囲に水が残ることを抑制することができる。これにより、カビの繁殖や、水垢などの汚れの発生を抑制することができる。よって、掃除の手間を軽減することができる。本実施形態では、直線溝４０という簡易な構成により、散水板８Ａに残った水を集水位置へと誘導することができる。
【００５０】
また、直線溝４０の形状は略直線形状であるため、散水板８Ａに残った水を最短距離で集水位置へと誘導することができる。これにより、散水板８Ａに残った水が集水位置へと誘導される前に散水板８Ａ上で蒸発することによる水垢の発生を抑制することができる。
【００５１】
さらに、集水位置に排水孔１２が形成されていることにより、直線溝４０によって集水位置へと誘導されてきた水を外部へと排水することができる。そのため、水が散水板８Ａの裏面Ｂ側に残ることをより抑制することができる。
【００５２】
なお、本実施形態では、直線溝４０が散水板８Ａの裏面Ｂのみに形成される場合を示したが、直線溝４０は、散水板８Ａの表面Ａのみに形成されていてもよいし、散水板８Ａの表面Ａおよび裏面Ｂの両面に形成されていてもよい。
【００５３】
直線溝４０が散水板８Ａの表面Ａに形成されることで、散水板８Ａの表面Ａ側に残った水を集水位置へと誘導することができる。具体的には、直線溝４０が散水板８Ａの表面Ａに形成される場合には、シャワーヘッド１を使用後、シャワーヘッド１が所定の姿勢で保持された状態において、散水板８Ａの表面Ａ側に残った水は、直線溝４０へ引き込まれる。直線溝４０へ引き込まれた水は、重力により、直線溝４０を通って、集水位置へと誘導される。集水位置へと誘導されてきた水は、重力により散水板８Ａから落下し、散水板８Ａから離れる。このように、散水板８Ａの表面Ａに、直線溝４０が形成されることにより、散水板８Ａの表面Ａ側に残った水を直線溝４０へ引き込み、直線溝４０へ引き込まれた水を重力により集水位置へと誘導することができる。
【００５４】
また、直線溝４０は、少なくとも一部が散水孔１０上に形成されているため、散水板８Ａの裏面Ｂ側又は表面Ａ側に残った水が溝３０と通って集水位置へ流れる過程において、散水孔１０に溜まっているシャワーヘッド１の使用後の残水を散水孔１０から抜くことができる。そのため、水が散水板８Ａに残ることをより抑制することができる。よって、掃除の手間を軽減することができる。
【００５５】
本発明の第１実施形態に係る散水板の第２の変形例について、図５を用いて説明する。図５(ａ)は、本発明の第１実施形態に係る散水板の第２の変形例を示す背面模式図であり、図５(ｂ)は、図５（ａ）のＸ−Ｘ断面模式図である。
【００５６】
図５(ａ)は、散水板８Ｂを裏面Ｂ側からみた図である。散水板８Ｂは、円形状である。散水板８Ｂは、散水孔１０と、排水孔１２と、ネジ貫通孔１３と、溝５０を備える。
【００５７】
散水孔１０は、散水板８Ｂの裏面Ｂから表面Ａを貫通しており、散水板８Ｂの形状と相似する円形状に配置されるよう形成される。排水孔１２は、散水孔１０の断面積よりも大きい断面積を持ち、散水板８Ｂの下端となる集水位置に形成される。言い換えると、排水孔１２は、散水板８Ｂにおける把持部４側となる集水位置に形成される。排水孔１２は、散水孔１０と同様に、散水板８Ｂの裏面Ｂから表面Ａを貫通する。ネジ貫通孔１３は、散水板８Ｂの上下左右の中央に形成される。
【００５８】
溝５０は、散水板８Ｂに残った水を集水位置へ水を誘導するものである。図５(ｂ)に示すように、溝５０は、散水板８の裏面Ｂに形成されている。溝５０は、円周溝５１と、径溝５２と、を有する（図５(ａ)参照）。
【００５９】
円周溝５１は、散水板８Ｂの中心軸を中心とする円形状の溝であり、散水孔１０上に形成されている。なお、本実施形態では、円周溝５１が３本形成されており、それらは散水孔１０上に形成されている（図５(ａ)参照）。３本の円周溝５１は、散水板８Ｂの円形状に沿って同心円状に形成されている。
【００６０】
径溝５２は、円周溝５１の少なくとも１箇所と集水位置とを結ぶように形成されている。径溝５２は、３本の円周溝５１のそれぞれ１箇所と集水位置とを結んでいる。具体的には、径溝５２の上側の端部は、最も内側の円周溝５１の下端に連続し、径溝５２の下側の端部は、最も外側の円周溝５１の下端に交差して排水孔５１に達している。つまり、径溝５２は、シャワーヘッド１が所定の姿勢で保持された状態において、各円周溝５１の下端位置となる１箇所と、集水位置に形成された排水孔５１とを結ぶように形成されている。
【００６１】
シャワーヘッド１を使用後、散水板８Ｂの裏面Ｂ側に残った水は、シャワーヘッド１が所定の姿勢で保持された状態において、溝５０へ引き込まれる。溝５０へ引き込まれた水は、重力により、円周溝５１を通り、径溝５２へと流れていく。径溝５２へと流れてきた水は、重力により集水位置へと誘導される。集水位置には、排水孔１２が形成されているため、集水位置へと誘導されてきた水は、排水孔１２を介して外部へと排水される。このように、散水板８Ｂの裏面Ｂに、円周溝５１および径溝５２を有することにより、散水板８Ｂの裏面Ｂ側に残った水を溝５０へと引き込み、溝５０へと引き込まれた水を重力により集水位置へと誘導することができる。そのため、散水板８Ｂの広い範囲に水が残ることを抑制することができる。これにより、カビの繁殖や、水垢などの汚れの発生を抑制することができる。よって、掃除の手間を軽減することができる。
【００６２】
また、本実施形態のように、散水板が円形状である場合の散水孔は、一般的に散水板の形状と相似する円形状に配置される。そのため、このように構成された散水板の場合、溝５０が円周溝５１および径溝５２を有することにより、効率よく散水板８Ｂに残った水を集水位置へと誘導することができる。
【００６３】
さらに、集水位置に排水孔１２が形成されていることにより、円周溝５１および径溝５２によって集水位置へと誘導されてきた水を外部へと排水することができる。そのため、水が散水板８Ｂの裏面Ｂ側に残ることをより抑制することができる。
【００６４】
なお、本実施形態では、溝５０が散水板８Ｂの裏面Ｂのみに形成される場合を示したが、溝５０は、散水板８Ｂの表面Ａのみに形成されていてもよいし、散水板８Ｂの表面Ａおよび裏面Ｂの両面に形成されていてもよい。
【００６５】
溝５０が散水板８Ｂの表面Ａに形成されることで、散水板８Ｂの表面Ａ側に残った水を集水位置へと誘導することができる。具体的には、溝５０が散水板８Ｂの表面Ａに形成される場合には、シャワーヘッド１を使用後、散水板８Ｂの表面Ａ側に残った水は、シャワーヘッド１が所定の姿勢で保持された状態において、溝５０へと引き込まれる。円周溝５１へと引き込まれた水は、重力により、円周溝５１を通り、径溝５２へと流れていく。径溝５２へと流れてきた水は、集水位置へと誘導される。集水位置へと誘導されてきた水は、重力により散水板８Ｂから落下し、散水板８Ｂから離れる。このように、散水板８Ｂの表面Ａに、円周溝５１０〜５１３および径溝５２を有することにより、散水板８Ｂの表面Ａ側に残った水を溝５０へと引き込み、溝５０へと引き込まれた水を重力により集水位置へと誘導することができる。
【００６６】
また、円周溝５１および径溝５２は、散水孔１０上に形成されているため、散水板８Ｂの裏面Ｂ側又は表面Ａ側に残った水が溝３０を通って集水位置へ流れる過程において散水孔１０に溜まっているシャワーヘッド１の使用後の残水を散水孔１０から抜くことができる。そのため、水が散水板８Ｂに残ることをより抑制することができる。よって、掃除の手間を軽減することができる。
【００６７】
なお、本実施形態では、円周溝５１および径溝５２は、散水孔１０上に形成される場合を示したが、散水孔１０を避けて形成してもよい。ただし、円周溝５１および径溝５２が散水孔１０上に形成されることで、上述したように散水孔１０による残水の排水作用によって散水板８Ｂの残水を抑制することができる。散水孔１０による残水の排水作用を得るためには、例えば溝５０を複数の散水孔１０の配置に沿うように形成すること等により、溝５０は極力散水孔１０上を通過するように形成されることが好ましい。
【００６８】
本発明の第１実施形態に係る散水板の第３の変形例について、図６を用いて説明する。図６(ａ)は、本発明の第１実施形態に係る散水板の第３の変形例を示す背面模式図であり、図６(ｂ)は、図６（ａ）のＸ−Ｘ断面模式図である。
【００６９】
図６(ａ)は、散水板８Ｃを裏面側からみた図である。散水板８Ｃは、円形状である。散水板８Ｃは、散水孔１０と、排水孔１２と、ネジ貫通孔１３と、溝６０を備える。
【００７０】
散水孔１０は、散水板８Ｃの裏面Ｂから表面Ａを貫通しており、散水板８Ｃの形状と相似する円形状に配置されるよう形成される。排水孔１２は、散水孔１０の断面積よりも大きい断面積を持つ。本実施形態に係る散水板８Ｃは、図６(ａ)に示す状態から４５度回転させて、吐水部２に対し固定することができる構造となっているため、散水板８Ｃの下端となる集水位置となり得る４箇所に排水孔１２が形成されている。言い換えると、排水孔１２は、散水板８Ｃにおける把持部４側となる集水位置となり得る４箇所に形成される。排水孔１２は、散水孔１０と同様に、散水板８Ｃの裏面Ｂから表面Ａを貫通する。ネジ貫通孔１３は、散水板８Ｃの上下左右の中央に形成される。
【００７１】
溝６０は、散水板８Ｃに残った水を集水位置へ水を誘導するものである。図５(ｂ)に示すように、溝６０は、散水板８Ｃの裏面Ｂに形成されており、溝６０の一部は散水孔１０上に形成されている。溝６０は、縦溝６１と、横溝６２とで網目状に形成されている（図６(ａ)参照）。さらに、溝６０は、ネジ貫通孔１４の周縁に沿って形成される周縁溝６３を有する。
【００７２】
横溝６２は、縦溝６１に対し直交する方向に形成される。言い換えると、縦溝６１は、横溝６２に対し直交する方向に形成されている。縦溝６１および横溝６２がそれぞれ複数形成されることで、溝６０は網目状に形成されている。集水位置を縦溝６１および横溝６２のうち少なくとも一方の溝上としている。
【００７３】
周縁溝６３は、ネジ貫通孔１４の周縁に沿って形成され、縦溝６１または横溝６２と連続している。
【００７４】
なお、本実施形態では、上下方向に延びる溝を縦溝としている。そのため、図６(ａ)では、上下方向に延びる溝を縦溝６１とし、その縦溝６１に直交する方向に形成される溝を横溝６２としているが、図６(ａ)において散水板８Ｃが右回りまたは左回りに回転し、その状態で吐水部２に対し取り付けられる場合には、図６(ａ)での縦溝６１と横溝６２の関係が反転する。すなわち、図６(ａ)において散水板８Ｃが右回りまたは左回りに回転し、その状態で吐水部２に対し取り付けられる場合には、縦溝６１が横溝となり、横溝６２が縦溝となる。
【００７５】
シャワーヘッド１を使用後、散水板８Ｃの裏面Ｂ側に残った水は、シャワーヘッド１が所定の姿勢で保持された状態において、縦溝６１、横溝６２、または、周縁溝６３へ引き込まれる。縦溝６１、横溝６２、または、周縁溝６３へ引き込まれた水は、重力により、縦溝６１、横溝６２、または、周縁溝６３を通り、集水位置へと流れていく。集水位置には、排水孔１２が形成されているため、集水位置へと誘導されてきた水は、排水孔１２を介して外部へと排水される。このように、散水板８Ｃの裏面Ｂに、縦溝６１および横溝６２を有することにより、散水板８Ｃの裏面Ｂ側に残った水を縦溝６１、横溝６２、または、周縁溝６３へ引き込み、縦溝６１、横溝６２、または、周縁溝６３へ引き込まれた水を、重力により集水位置へと誘導することができる。そのため、散水板８Ｃの広い範囲に水が残ることを抑制することができる。これにより、カビの繁殖や、水垢などの汚れの発生を抑制することができる。よって、掃除の手間を軽減することができる。
【００７６】
また、本実施形態のように、吐水部２に対し散水板８Ｃがどの方向に固定されたとしても、溝６０（縦溝６１および横溝６２）により散水板８Ｃに残った水を集水位置へ誘導することができる。そのため、吐水部２に対する散水板８Ｃの固定方向によらず、カビの繁殖や、水垢などの汚れの発生を抑制することができ、掃除の手間を軽減することができる。
【００７７】
また、周縁溝６３を有することにより、ネジ貫通孔１３付近へ流れてきた水をネジ貫通孔１３に沿って縦溝６１または横溝６２へと流すことができる。そのため、散水板８Ｃに残った溝を効率よく集水位置へと誘導することができる。
【００７８】
さらに、集水位置に排水孔１２が形成されていることにより、縦溝６１、横溝６２、および、周縁溝６３によって集水位置へと誘導されてきた水を外部へと排水することができる。そのため、水が散水板８Ｃの裏面Ｂ側に残ることをより抑制することができる。
【００７９】
なお、本実施形態では、溝６０が散水板８Ｃの裏面Ｂのみに形成される場合を示したが、溝６０は、散水板８Ｃの表面Ａのみに形成されていてもよいし、散水板８Ｃの表面Ａおよび裏面Ｂの両面に形成されていてもよい。
【００８０】
溝６０が散水板８Ｃの表面Ａに形成されることで、散水板８Ｃの表面Ａ側に残った水を集水位置へと誘導することができる。具体的には、溝６０が散水板８Ｃの表面Ａに形成される場合には、シャワーヘッド１を使用後、散水板８Ｃの裏面Ｂ側に残った水は、シャワーヘッド１が所定の姿勢で保持された状態において、縦溝６１、横溝６２、または、周縁溝６３へ引き込まれる。縦溝６１、横溝６２、または、周縁溝６３へ引き込まれた水は、重力により、縦溝６１、横溝６２、または、周縁溝６３を通り、集水位置へと流れていく。集水位置へと誘導されてきた水は、重力により散水板８Ｃから落下し、散水板８Ｃから離れる。このように、散水板８Ｃの裏面Ｂに、縦溝６１および横溝６２を有することにより、散水板８Ｃの裏面Ｂ側に残った水を縦溝６１、横溝６２、または、周縁溝６３へ引き込み、縦溝６１、横溝６２、または、周縁溝６３へ引き込まれた水を、重力により集水位置へと誘導することができる。
【００８１】
また、縦溝６１および横溝６２は、少なくとも一部が散水孔１０上に形成されているため、散水板８の裏面Ｂ側又は表面Ａ側に残った水が溝３０と通って集水位置へ流れる過程において、散水孔１０に溜まっているシャワーヘッド１の使用後の残水を散水孔１０から抜くことができる。そのため、水が散水板８Ｃに残ることをより抑制することができる。よって、掃除の手間を軽減することができる。
【００８２】
[第２実施形態]
次に、本発明の第２実施形態について説明する。まず、本発明の第２実施形態に係るシャワーヘッドについて、図７を用いて説明する。図７は、本発明の第２実施形態に係るシャワーヘッドを示す断面図である。なお、本発明の第２実施形態に係るシャワーヘッドの説明では、上述した本発明の第１実施形態と共通する内容については、第１実施形態と共通の付号や同様の名称を用いて適宜説明を省略する。本発明の第２実施形態に係るシャワーヘッドは、本発明の第１実施形態に係るシャワーヘッドとの対比において、保持される姿勢が異なる。
【００８３】
図７に示すように、本発明の第２実施形態に係るシャワーヘッド２０は、水を吐水する吐水部２２と、シャワー使用時等に使用者が把持する把持部２４と、からなる。シャワーヘッド２０は、図示しないシャワーフックへと引っ掛けられることにより、所定の姿勢で保持される。なお、図７では、シャワーヘッド２０を図示しないシャワーフックへと引っ掛けた状態を示している。
【００８４】
吐水部２２は、複数の散水孔１０が形成された散水板２８を有する。散水板２８は、円形状である板部３０と、板部３０の周縁から立設した壁部３２とで構成されている。複数の散水孔１０は、板部３０に形成されており、板部３０の形状と相似する円形状に沿って配置される。散水板２８の下端となる集水位置には、散水孔１０の断面積よりも大きい断面積の排水孔１５が形成されている。吐水部２２に形成されたねじ部３４に、内周面にねじ部が形成された壁部３２を螺合することで、散水板２８を吐水部２２の所定の位置に固定することができる。散水板２８において、板部３０は、円形状の中心位置を凸中心とする凸曲面状をなすように全体としてわずかに湾曲した形状を有し、壁部３２は、板部３０の凸側とは反対側に設けられている。したがって、散水板２８は、壁部３２によって把持部１２０に固定された状態において、板部３０を外側（図７において下側）にわずかに膨出させた態様、すなわち板部３０を外側（図７において下側）に向けて突出させた態様となる。
【００８５】
なお、本実施形態では、図７に示すように、シャワーヘッド２を図示しないシャワーフックへと引っ掛けた状態では、散水板２８は、散水板２８の板部３０が水平となる姿勢で保持される。つまり、所定の姿勢で保持された状態のシャワーヘッド２においては、散水板２８の板部３０の表面Ａ側（外側）の板面が下方を向いた状態となる。また、散水板２８集水位置とは、シャワーヘッド７を図示しないシャワーフックへと引っ掛けることにより、散水板２８の板部３０が水平となる姿勢で保持された状態での下端位置、すなわち散水板２８の板部３０が水平となる姿勢で保持された状態での中央部を指す。つまり、円形状の中心位置を中心として凸曲面状をなす板部３０が下側を凸側として水平姿勢にある状態においては、板部３０の中央部が散水板２８の下端位置となり、かかる位置が散水板２８における集水位置となる。言い換えると、散水板２８集水位置とは、散水板２８の最も突出している位置を指す。すなわち、板部３０の中央部が散水板２８の最も突出している集水位置となる。
【００８６】
図７に示すように、把持部２４は、内部に通水路２６を有する中空形状である。通水路２６は、把持部２４に接続される図示しないシャワーホースを介して供給された水を、吐水部２２の散水板２８まで通水させるように形成される。通水路２６は、通水路２６を通る水が把持部２４の吐水部２２の近傍で、散水板２８に流入するように、その給水路径が拡がって形成されている。通水路２６を通り、吐水部２２へと供給された水は、散水板２８の散水孔１０から吐出される。
【００８７】
次に、本発明の第２実施形態に係る散水板について、図８を用いて説明する。図８は、本発明の第２実施形態に係る散水板を示す背面模式図である。なお、散水孔１０については、個数を省略して図示している。
【００８８】
図８は、散水板２８を裏面Ｂ側からみた図である。散水板２８の板部３０は、円形状である。散水板２８は、散水孔１０と、排水孔１２と、直線溝７０と、を備える。
【００８９】
散水孔１０は、散水板２８の板部３０の裏面Ｂから表面Ａを貫通しており、散水板２８の板部３０の形状と相似する円形状に配置されるよう形成される。排水孔１２は、散水孔１０の断面積よりも大きい断面積を持ち、散水板２８の板部３０において、下端となる集水位置に形成される。言い換えると、排水孔１２は、散水板２８の最も突出している集水位置に形成される。本実施形態では、排水孔１２は、散水板２８の板部３０の中心位置、すなわち散水板２８の最も突出している位置に設けられている。排水孔１２は、散水孔１０と同様に、散水板２８の板部３０の裏面Ｂから表面Ａを貫通する。
【００９０】
直線溝７０は、散水板２８に残った水を集水位置へ水を誘導するものである。図７に示すように、直線溝７０は、散水板２８の板部３０の裏面Ｂに形成されており、直線溝７０の一部は散水孔１０上に形成されている。
【００９１】
直線溝７０は、散水板２８の最も突出している集水位置である板部３０の中央部を一方の端部としており、略直線形状に形成される。なお、本実施形態では、直線溝７０は、８本形成されている。８本の直線溝７０は、板部３０の中央部をそれぞれの一方の端部としており、板部３０の中央部には、排水孔１２が形成される。つまり、８本の直線溝７０は、板部３０の中央部に位置する排水孔１２を中心として放射状に配設されている。
【００９２】
シャワーヘッド２を使用後、散水板２８の裏面Ｂ側に残った水は、シャワーヘッド２が所定の姿勢で保持された状態において、直線溝７０へ引き込まれる。直線溝７０へ引き込まれた水は、重力により、直線溝７０を通って、散水板２８の最も突出している集水位置（板部３０の中央部）へと誘導される。集水位置には、排水孔１２が形成されているため、集水位置へと誘導されてきた水は、排水孔１２を介して外部へと排水される。このように、散水板２８の裏面Ｂに、直線溝７０が形成されることにより、散水板２８の裏面Ｂ側に残った水を直線溝７０へ引き込み、直線溝７０へ引き込まれた水を重力により集水位置へと誘導することができる。そのため、散水板２８の広い範囲に水が残ることを抑制することができる。これにより、カビの繁殖や、水垢などの汚れの発生を抑制することができる。よって、掃除の手間を軽減することができる。本実施形態では、直線溝７０という簡易な構成により、散水板２８に残った水を集水位置へと誘導することができる。
【００９３】
また、直線溝７０の形状は略直線形状であるため、散水板２８に残った水を最短距離で集水位置へと誘導することができる。これにより、散水板２８に残った水が集水位置へと誘導される前に散水板２８上で蒸発することによる水垢の発生を抑制することができる。
【００９４】
さらに、集水位置に排水孔１２が形成されていることにより、直線溝７０によって集水位置へと誘導されてきた水を外部へと排水することができる。そのため、水が散水板２８の裏面Ｂ側に残ることをより抑制することができる。
【００９５】
なお、本実施形態では、直線溝７０が散水板２８の裏面Ｂのみに形成される場合を示したが、直線溝７０は、散水板２８の表面Ａのみに形成されていてもよいし、散水板２８の表面Ａおよび裏面Ｂの両面に形成されていてもよい。
【００９６】
直線溝７０が散水板２８の表面Ａに形成されることで、散水板２８の表面Ａ側に残った水を集水位置へと誘導することができる。具体的には、直線溝７０が散水板２８の表面Ａに形成される場合には、シャワーヘッド２を使用後、散水板２８の表面Ａ側に残った水は、シャワーヘッド２が所定の姿勢で保持された状態において、直線溝７０へ引き込まれる。直線溝７０へ引き込まれた水は、重力により、直線溝７０を通って、集水位置へと誘導される。集水位置へと誘導されてきた水は、重力により散水板２８から落下し、散水板２８から離れる。このように、散水板２８の表面Ａに、直線溝７０が形成されることにより、散水板２８の表面Ａ側に残った水を直線溝７０へ引き込み、直線溝７０へ引き込まれた水を重力により集水位置へと誘導することができる。
【００９７】
また、直線溝７０は、少なくとも一部が散水孔１０上に形成されているため、散水板１２の裏面Ｂ側又は表面Ａ側に残った水が溝３０と通って集水位置へ流れる過程において、散水孔１０に溜まっているシャワーヘッド１の使用後の残水を散水孔１０から抜くことができる。そのため、水が散水板２８に残ることをより抑制することができる。よって、掃除の手間を軽減することができる。
【００９８】
本発明の第２実施形態に係る散水板の変形例について、図９を用いて説明する。図９は、本発明の第２実施形態に係る散水板の変形例を示す背面模式図である。なお、散水孔１０については、個数を省略して図示している。
【００９９】
図９は、散水板２８Ａを裏面Ｂ側からみた図である。散水板２８Ａの板部３０Ａは、円形状である。散水板２８Ａは、散水孔１０と、排水孔１２と、溝８０と、を備える。
【０１００】
散水孔１０は、散水板２８Ａの板部３０Ａの裏面Ｂから表面Ａを貫通しており、散水板２８Ａの板部３０Ａの形状と相似する円形状に配置されるよう形成される。排水孔１２は、散水孔１０の断面積よりも大きい断面積を持ち、散水板２８Ａの板部３０Ａにおいて、下端となる集水位置（板部３０Ａの中央部）に形成される。言い換えると、排水孔１２は、散水板２８Ａの最も突出している集水位置に形成される。排水孔１２は、散水孔１０と同様に、散水板２８Ａの板部３０Ａの裏面Ｂから表面Ａを貫通する。
【０１０１】
溝８０は、散水板２８Ａに残った水を集水位置へ水を誘導するものであり、散水板２８Ａの裏面Ｂに形成されており、溝８０の一部は散水孔１０上に形成されている。溝８０は、円周溝８１と、径溝８２と、を有する。
【０１０２】
円周溝８１は、散水板２８Ａの板部３０Ａの中心軸を中心とする円形状の溝であり、散水孔１０上に形成されている。なお、本実施形態では、円周溝８１は、３本形成されており、それらは散水孔１０上に形成されている（図９参照）。３本の円周溝８１は、散水板２８Ａの板部３０Ａの円形状に沿って同心円状に形成されている。
【０１０３】
径溝８２は、円周溝８１の少なくとも１箇所と集水位置とを結ぶように形成されている。径溝８２の一側の端部は、散水板２８Ａの板部３０Ａの中央の排水孔５１に連続し、径溝８２の他側の端部は、板部３０Ａの縁端に達している。なお、本実施形態では、径溝８２は８本形成されており、それらは散水孔１０上に形成されている（図９参照）。８本の径溝８２は、散水板２８Ａの板部３０Ａの中央に位置する散水孔１２を起点に放射状に広がるように形成されている。図９に示す例では、８本の径溝８２は、板部３０Ａの周方向について略等角度間隔で設けられている。
【０１０４】
シャワーヘッド１を使用後、散水板２８Ａの裏面Ｂ側に残った水は、シャワーヘッド２が所定の姿勢で保持された状態において、円周溝８１または径溝８２に引き込まれる。円周溝８１または径溝８２に引き込まれた水は、重力により、円周溝８１を通り、径溝８２へと流れていく。径溝８２１〜８２８へと流れてきた水は、重力により散水板２８Ａの最も突出している集水位置（散水板２８Ａの板部３０Ａ）へと誘導される。集水位置には、排水孔１２が形成されているため、集水位置へと誘導されてきた水は、排水孔１２を介して外部へと排水される。このように、散水板２８Ａの裏面Ｂに、円周溝８１および径溝８２を有することにより、散水板２８Ａの裏面Ｂ側に残った水を円周溝８１または径溝８２に引き込み、円周溝８１または径溝８２に引き込まれた水を集水位置へと誘導することができる。そのため、散水板２８Ａの広い範囲に水が残ることを抑制することができる。これにより、カビの繁殖や、水垢などの汚れの発生を抑制することができる。よって、掃除の手間を軽減することができる。
【０１０５】
また、本実施形態のように、散水板が円形状である場合の散水孔は、一般的に散水板の形状と相似する円形状に配置される。そのため、このように構成された散水板の場合、溝８０が円周溝８１および径溝８２を有することにより、効率よく散水板２８Ａに残った水を集水位置へと誘導することができる。
【０１０６】
さらに、集水位置に排水孔１２が形成されていることにより、円周溝８１および径溝８２によって集水位置へと誘導されてきた水を外部へと排水することができる。そのため、水が散水板１２Ｂの裏面Ｂ側に残ることをより抑制することができる。
【０１０７】
なお、本実施形態では、溝８０が散水板２８Ａの裏面Ｂのみに形成される場合を示したが、溝８０は、散水板２８Ａの表面Ａのみに形成されていてもよいし、散水板２８Ａの表面Ａおよび裏面Ｂの両面に形成されていてもよい。
【０１０８】
溝８０が散水板２８Ａの表面Ａに形成されることで、散水板２８Ａの表面Ａ側に残った水を集水位置へと誘導することができる。具体的には、溝８０が散水板２８Ａの表面Ａに形成される場合には、シャワーヘッド２を使用後、散水板２８Ａの表面Ａ側に残った水は、シャワーヘッド２が所定の姿勢で保持された状態において、円周溝８１または径溝８２に引き込まれる。円周溝８１または径溝８２に引き込まれた水は、重力により、円周溝８１を通り、径溝８２へと流れていく。径溝８２へと流れてきた水は、重力により散水板２８Ａの最も突出している集水位置（板部３０Ａの中央部）へと誘導される。集水位置へと誘導されてきた水は、重力により散水板２８Ａから落下し、散水板２８Ａから離れる。このように、散水板２８Ａの表面Ａに、円周溝８１および径溝８２を有することにより、散水板２８Ａの表面Ａ側に残った水を円周溝８１または径溝８２に引き込み、円周溝８１または径溝８２に引き込まれた水を集水位置へと誘導することができる。
【０１０９】
また、円周溝８１および径溝８２は、散水孔１０上に形成されているため、散水孔１０に溜まっているシャワーヘッド１の使用後の残水を散水孔１０から抜くことができる。そのため、水が散水板１２Ｂに残ることをより抑制することができる。よって、掃除の手間を軽減することができる。
【０１１０】
なお、本実施形態では、円周溝８１および径溝８２は、散水孔１０上に形成される場合を示したが、散水孔１０を避けて形成してもよい。
【０１１１】
なお、本発明の第１実施形態および第２実施形態では、散水板１２の形状は、円形状であるがこれに限らない。例えば、散水板形状は、四角型形状でもよい。散水板の形状が四角形状である場合には、散水孔は、縦横整列して配置されることが多いため、縦溝と、縦溝と直交する方向の横溝とで網目状に溝が形成されていることが好ましい。これにより、効率よく散水板に残った溝を集水位置へと誘導することができる。
【０１１２】
また、溝の深さは、例えば約0.5mmであり、溝の幅は、例えば約0.3mmである。溝の深さや幅については、これに限らず、散水板や散水孔の形状・大きさなどにより、適宜設定してよい。
【０１１３】
また、シャワーヘッドが所定の姿勢で保持された状態では、散水板が垂直な姿勢で吐水部に固定されていてもよい。
【０１１４】
また、本発明の第１実施形態および第２実施形態では、シャワーヘッドをシャワーフックへと引っ掛けることにより、シャワーヘッドが所定の姿勢で保持される浴室などで用いられるシャワーヘッドについて説明したが、これに限らない。例えば、水栓本体から引き出し可能な所謂プルアウト型のシャワーヘッドでもよい。また、水栓本体からの引き出し不可能なシャワーヘッドでもよい。
【符号の説明】
【０１１５】
１、２  シャワーヘッド
１０、１１０  吐水部
１２、１２Ａ、１２Ｂ、１２Ｃ、１１２、１１２Ａ  散水板
１１    散水孔
１３    ネジ貫通孔
１４    ネジ孔
１５    排水孔
１６    ネジ
２０、１２０  把持部
２１、１２２  給水路
２２    下端部
３０、５０、６０、８０    溝
３１    周縁溝
３２    平行溝
４０、７０  直線溝
５１、８１  円周溝
５２、８２  径溝
６１    縦溝
６２    横溝
６３    周縁溝
１３０  板部
１４０  壁部
Ａ      表面
Ｂ      裏面
【図１】
2015047268.tif 000003
【図２】
2015047268.tif 000004
【図３】
2015047268.tif 000005
【図４】
2015047268.tif 000006
【図５】
2015047268.tif 000007
【図６】
2015047268.tif 000008
【図７】
2015047268.tif 000009
【図８】
2015047268.tif 000010
【図９】
2015047268.tif 000011